(57)【要約】【課題】次亜塩素酸の酸化力以上に強い酸化力を有する酸化水を連続して供給する酸化水生成装置を備える食器洗い機および洗濯機を実現する。【解決手段】圧電素子８にて発生する超音波により過酸化水素を生成し、酸化マンガンを担持したハニカム９により過酸化水素の一部を酸素に変換し、その酸素から紫外線ランプ１０にてオゾンを生成し、出口５から過酸化水素とオゾンを含有する酸化水を排出し、その酸化水を洗浄水として使用するものである。【選択図】図１
2005110751.tif 000002
【特許請求の範囲】
【請求項１】
被処理水の入口部と出口部を備え、該入口部から該出口部へ向けて順に、過酸化水素発生装置と、過酸化水素から水と酸素を生成する装置と、酸素にエネルギーを付与して酸素からオゾンを生成する装置とを備える酸化水生成装置を備え、該酸化水生成装置の前記出口部から排出する酸化水を洗浄水として庫内に供給する食器洗い機。
【請求項２】
過酸化水素発生装置は、被処理水に超音波を印加する構成とし、また過酸化水素から水と酸素を生成する装置を、酸化マンガンを担持したメッシュ乃至はハニカム状の水透過が可能な材料で構成し、また酸素にエネルギーを付与して酸素からオゾンを生成する装置を、酸素を含有した被処理水に波長が１８５ｎｍ以下の紫外線を照射する構成とした請求項１記載の食器洗い機。
【請求項３】
被処理水の入口部と出口部を備え、該入口部から該出口部へ向けて順に、過酸化水素発生装置と、過酸化水素から水と酸素を生成する装置と、酸素にエネルギーを付与して酸素からオゾンを生成する装置と、被処理水のｐＨをアルカリ性にする装置とを備える酸化水生成装置を備え、該酸化水生成装置の前記出口部から排出する酸化水を洗浄水として庫内に供給する食器洗い機。
【請求項４】
被処理水のｐＨをアルカリ性にする装置は、被処理水中で陽極と陰極とを隔膜を挟んで対向する構成を採る電気分解装置であり、該陽極と該隔膜間から生成される酸性水は捨て水とし、該陰極と該隔膜間から生成されるアルカリ性水のみを被処理水の出口部から流出する構成とした請求項３記載の食器洗い機。
【請求項５】
被処理水の入口部と出口部を備え、該入口部から該出口部へ向けて順に、過酸化水素発生装置と、過酸化水素から水と酸素を生成する装置と、酸素にエネルギーを付与して酸素からオゾンを生成する装置とを備える酸化水生成装置を備え、該酸化水生成装置の前記出口部から排出する酸化水を洗浄水として洗濯槽内に供給する洗濯機。
【請求項６】
過酸化水素発生装置は、被処理水に超音波を印加する構成とし、また過酸化水素から水と酸素を生成する装置を、酸化マンガンを担持したメッシュ乃至はハニカム状の水透過が可能な材料で構成し、また酸素にエネルギーを付与して酸素からオゾンを生成する装置を、酸素を含有した被処理水に波長が１８５ｎｍ以下の紫外線を照射する構成とした請求項５記載の洗濯機。
【請求項７】
被処理水の入口部と出口部を備え、該入口部から該出口部へ向けて順に、過酸化水素発生装置と、過酸化水素から水と酸素を生成する装置と、酸素にエネルギーを付与して酸素からオゾンを生成する装置と、被処理水のｐＨをアルカリ性にする装置とを備える酸化水生成装置を備え、該酸化水生成装置の前記出口部から排出する酸化水を洗浄水として洗濯槽内に供給する洗濯機。
【請求項８】
被処理水のｐＨをアルカリ性にする装置は、被処理水中で陽極と陰極とを隔膜を挟んで対向する構成を採る電気分解装置であり、該陽極と該隔膜間から生成される酸性水は捨て水とし、該陰極と該隔膜間から生成されるアルカリ性水のみを被処理水の出口部から流出する構成とした請求項７記載の洗濯機。
【発明の詳細な説明】
【技術分野】
【０００１】
本発明は主に超音波と紫外線を利用して酸化作用のある過酸化水素とオゾンを含む水（酸化水）を生成する装置を備え、その酸化水を洗浄水として利用する食器洗い機および洗濯機に関するものである。
【背景技術】
【０００２】
従来、酸化作用のある活性種を含んだ水（酸化水）を生成し、その酸化水を洗浄水として利用する食器洗い機には電気分解装置を備えるものがあり、水道水を電気分解することによって得られる次亜塩素酸を含有する酸性水を庫内に供給して、次亜塩素酸の酸化力により食器に付着した汚れを酸化分解して洗浄を行う手法が知られていた（例えば、特許文献１参照）。
【０００３】
図５は、従来の酸化水生成装置である電気分解装置の構成図である。図５に示すように、被処理水の入口２２と酸性水出口２３およびアルカリ性水出口２４を備える容器２１の中に、隔膜２５を挟んで陽極２６と陰極２７が対向するよう配置されている。陽極２６と陰極２７間に図示しない電源によって直流電圧が印加され、被処理水の電気分解が生じ、酸性水出口２３から酸化作用を有する次亜塩素酸を含んだ水が排出されることとなる。
【０００４】
また、従来、酸化作用のある活性種を含んだ水（酸化水）を生成し、その酸化水を洗浄水として利用する洗濯機には次亜塩素放出材を備えるものがあり、次亜塩素放出材（例えばトリクロロイソシアヌール酸を固形化したもの）を被処理水に浸漬することによって得られる次亜塩素酸を含有する酸化水を洗濯槽内に供給して、次亜塩素酸の酸化力により衣類に付着した汚れを酸化分解して洗浄を行う手法が知られていた（例えば、特許文献２参照）。
【０００５】
図６は、次亜塩素放出材を用いる従来の酸化水生成装置の構成図である。図６に示すように、被処理水の入口２９と出口３０を備える容器内に、次亜塩素放出材３１が被処理水に浸漬される構成となっているので、一定時間放置後に被処理水は所定濃度の次亜塩素酸を含んだ酸化水となり、その酸化水を洗濯槽内に供給して、衣類の洗浄に用いる手法である。
【特許文献１】特許第３１８３１１８号公報
【特許文献２】特開２００１−２０４９９３号公報
【発明の開示】
【発明が解決しようとする課題】
【０００６】
しかしながら、前記従来の構成では、酸化物質として次亜塩素酸のみを生成するために、酸化水が持つ酸化力が弱いという課題を有していた。また、従来の酸化水のｐＨがほぼ中性であるために洗浄能力において優れないという課題を有していた。
【０００７】
本発明は、前記従来の課題を解決する酸化水を供給する酸化水生成装置を備える食器洗い機および洗濯機を実現するものであり、酸化物質として過酸化水素とオゾンを含有する酸化水を洗浄水として利用するので、強力な酸化作用により食器または衣類に付着した汚れが酸化分解され、なおかつ過酸化水素の活性及び洗浄能力を高めるためにｐＨをアルカリ性とした酸化水を洗浄水として利用するので、食器または衣類に付着した汚れは効率良く取り除かれることとなる。
【課題を解決するための手段】
【０００８】
前記従来の課題を解決するために、本発明の食器洗い機は、被処理水の入口部と出口部を備え、該入口部から該出口部へ向けて順に、過酸化水素発生装置と、過酸化水素から水と酸素を生成する装置と、酸素にエネルギーを付与して酸素からオゾンを生成する装置とを備える酸化水生成装置を備え、該酸化水生成装置の該出口部から排出する酸化水を洗浄水として庫内に供給するものである。
【０００９】
これによって、酸化物質として過酸化水素とオゾンを含んだ強力な酸化作用を有する酸化水を生成することができる。
【００１０】
また本発明の食器洗い機が備える酸化水生成装置は、被処理水のｐＨをアリカリ性とするために、過酸化水素の活性が高まり酸化力が更に高まると同時に、酸化されにくい汚れに対する洗浄能力も高めることができる。
【００１１】
また、前記従来の課題を解決するために、本発明の洗濯機は、被処理水の入口部と出口部を備え、該入口部から該出口部へ向けて順に、過酸化水素発生装置と、過酸化水素から水と酸素を生成する装置と、酸素にエネルギーを付与して酸素からオゾンを生成する装置とを備える酸化水生成装置を備え、該酸化水生成装置の該出口部から排出する酸化水を洗浄水として洗濯槽内に供給するものである。
【００１２】
これによって、酸化物質として過酸化水素とオゾンを含んだ強力な酸化作用を有する酸化水を生成することができる。
【００１３】
また本発明の洗濯機が備える酸化水生成装置は、被処理水のｐＨをアリカリ性とするために、過酸化水素の活性が高まり酸化力が更に高まると同時に酸化されにくい汚れに対する洗浄能力も高めることができる。
【発明の効果】
【００１４】
本発明の食器洗い機および洗濯機は、酸化物質として過酸化水素とオゾンを含有し、強力な酸化作用を有する酸化水を洗浄水として利用するので、付着した汚れを効率よく取り除くことができる食器洗い機および洗濯機を実現することができる。
【発明を実施するための最良の形態】
【００１５】
第１の発明は、被処理水の入口部と出口部を備え、該入口部から該出口部へ向けて順に、過酸化水素発生装置と、過酸化水素から水と酸素を生成する装置と、酸素にエネルギーを付与して酸素からオゾンを生成する装置とを備える酸化水生成装置を備え、該酸化水生成装置の前記出口部から排出する酸化水を洗浄水として庫内に供給する食器洗い機であり、酸化作用を示す物質として過酸化水素とオゾンを含有する水を食器の洗浄に使用するので、食器に付着した汚れはそれら酸化物質による酸化分解により効率よく洗浄される。
【００１６】
第２の発明は、特に、第１の発明の過酸化水素発生装置を、被処理水に超音波を印加する構成とし、また過酸化水素から水と酸素を生成する装置を、酸化マンガンを担持したメッシュ乃至はハニカム状の水透過が可能な材料で構成し、また酸素にエネルギーを付与して酸素からオゾンを生成する装置を、酸素を含有した被処理水に波長が１８５ｎｍ以下の紫外線を照射する構成としたことにより、薬剤の投入などの煩雑なメンテを必要とせず、各装置への電力供給のみで連続して運転することができる。
【００１７】
第３の発明は、被処理水の入口部と出口部を備え、該入口部から該出口部へ向けて順に、過酸化水素発生装置と、過酸化水素から水と酸素を生成する装置と、酸素にエネルギーを付与して酸素からオゾンを生成する装置と、被処理水のｐＨをアルカリ性にする装置とを備える酸化水生成装置を備え、該酸化水生成装置の前記出口部から排出する酸化水を洗浄水として庫内に供給する食器洗い機であり、酸化水のｐＨがアルカリ性となり、中性の場合に比べて過酸化水素の活性が更に高まるので、食器に付着した汚れの酸化分解が更に促進され、食器の汚れ落ちの効率を高めることができる。
【００１８】
第４の発明は、特に、第３の発明の被処理水のｐＨをアルカリ性にする装置を、被処理水中で陽極と陰極とを隔膜を挟んで対向する構成を採る電気分解装置とするものであり、該陽極と該隔膜間から生成される酸性水は捨て水とし、該陰極と該隔膜間から生成されるアルカリ性水のみを被処理水の出口部から流出する構成としたことにより、薬剤などの投入と言う煩雑なメンテを必要とせず、装置に電力を供給するだけで装置を連続して運転することができる。
【００１９】
第５の発明は、被処理水の入口部と出口部を備え、該入口部から該出口部へ向けて順に、過酸化水素発生装置と、過酸化水素から水と酸素を生成する装置と、酸素にエネルギーを付与して酸素からオゾンを生成する装置とを備える酸化水生成装置を備え、該酸化水生成装置の前記出口部から排出する酸化水を洗浄水として洗濯槽内に供給する洗濯機であり、酸化作用を示す物質として過酸化水素とオゾンを含有する水を衣類の洗濯に使用するので、衣類に付着した汚れはそれら酸化物質による酸化分解により効率よく洗浄される。
【００２０】
第６の発明は、特に、第５の発明の過酸化水素発生装置を、被処理水に超音波を印加する構成とし、また過酸化水素から水と酸素を生成する装置を、酸化マンガンを担持したメッシュ乃至はハニカム状の水透過が可能な材料で構成し、また酸素にエネルギーを付与して酸素からオゾンを生成する装置を、酸素を含有した被処理水に波長が１８５ｎｍ以下の紫外線を照射する構成としたことにより、薬剤の投入などの煩雑なメンテを必要とせず、各装置への電力供給のみで連続して運転することができる。
【００２１】
第７の発明は、被処理水の入口部と出口部を備え、該入口部から該出口部へ向けて順に、過酸化水素発生装置と、過酸化水素から水と酸素を生成する装置と、酸素にエネルギーを付与して酸素からオゾンを生成する装置と、被処理水のｐＨをアルカリ性にする装置とを備える酸化水生成装置を備え、該酸化水生成装置の前記出口部から排出する酸化水を洗浄水として洗濯槽内に供給する洗濯機であるので、酸化水のｐＨをアルカリ性とすることにより、中性の場合に比べて過酸化水素の活性が更に高まるので、衣類に付着した汚れの酸化分解が更に促進され、衣類の汚れ落ちの効率を高めることができる。
【００２２】
第８の発明は、特に、第７の発明の被処理水のｐＨをアルカリ性にする装置を、被処理水中で陽極と陰極とを隔膜を挟んで対向する構成を採る電気分解装置とするものであり、該陽極と該隔膜間から生成される酸性水は捨て水とし、該陰極と該隔膜間から生成されるアルカリ性水のみを被処理水の出口部から流出する構成としたことにより、薬剤などの投入と言う煩雑なメンテを必要とせず、装置に電力を供給するだけで装置を連続して運転することができる。
【００２３】
以下、本発明の実施の形態について、図面を参照しながら説明する。なお、この実施の形態によって本発明が限定されるものではない。
【００２４】
（実施の形態１）
図１は本発明の実施の形態１における食器洗い機の構成図を示すものである。図１において、１は食器洗い機であり、被洗浄体である食器２を洗浄庫内に置いている。３は酸化水生成装置であり、被処理水である水道水の入口４と処理水の出口５を備え、生成された酸化水はノズル６によって食器洗い機１の庫内に噴射される。
【００２５】
図２は同食器洗い機が備える酸化水生成装置３の構成詳細図であり、７は円筒容器、４、５はそれぞれ被処理水の円筒容器７への入口、出口、８は超音波発振素子である圧電素子、９は酸化マンガンを担持したハニカム、１０はピーク波長１８５ｎｍの流水型紫外線ランプを示す。
【００２６】
円筒容器７は内部の反応が透視できるように透明ポリカーボネート樹脂にて作成したが、被処理水が漏れ出てこない構成であれば形状、材料はこれに限定されるものではない。圧電素子８は円筒状超音波発振素子を円筒容器７の内側に貼り付けて、図示しない共振回路にて超音波を発振させた。酸化マンガンを担持したハニカム９は、市販の冷蔵庫に用いられている脱臭用のハニカムを利用した。紫外線ランプ１０には、ピーク波長が１８５ｎｍで出力５Ｗの流水型オゾンランプを使用し、図示しない点灯回路によって点灯した。
【００２７】
入口４より水道水を０．２Ｌ／ｍｉｎで通水し、圧電素子８から出力が３Ｗとなるよう図示しない共振回路にて超音波（周波数５００ｋＨｚ）を発生させ、また同時に紫外線ランプ１０も点灯させた。これにより、出口５からは過酸化水素濃度３ｐｐｍ、溶存オゾン濃度２ｐｐｍの酸化水を得ることが出来た。この酸化水を洗浄水と利用した食器洗い機１は、洗剤を用いることなく、食器２に付着した汚れを効果的に除去することができた。
【００２８】
（実施の形態２）
図３は本発明の実施の形態２における食器洗い機の酸化水生成装置の詳細構成図を示すものである。本実施の形態においては、図３の酸化水生成装置を図１中の酸化水生成装置３の部位に取り付けて、食器洗い機を構成した。
【００２９】
図３において、円筒容器７、被処理水の円筒容器７への入口４、超音波発振素子である圧電素子８、酸化マンガンを担持したハニカム９およびピーク波長１８５ｎｍの流水型紫外線ランプ１０は上記実施の形態１と同一である。１１は電気分解用の隔膜、１２、１３はそれぞれ電気分解の陽極、陰極で、白金めっきしたチタン板を使用した。また、陽極１２、陰極１３をそれぞれ隔膜１１と５ｍｍの間隔を隔てて平行に設置し、図示しない定電圧回路にて陽極１２と陰極１３の間に直流８Ｖの電圧を印加した。１４は隔膜１１と陰極１１の間から排出されるアルカリ性酸化水の出口で、１５は隔膜１１と陽極１２の間から排出される酸性の捨て水出口である。
【００３０】
入口４から水道水を０．１Ｌ／ｍｉｎで通水すると同時に、圧電素子８から出力が３Ｗとなるよう図示しない共振回路にて超音波（周波数５００ｋＨｚ）を発生させた。また同時に、紫外線ランプ１０を点灯させ、陽極１２と陰極１３の間に直流電圧８Ｖを印加し、被処理水の電気分解を行った。この場合、アルカリ性酸化水出口１５、酸性捨て水出口１４からはそれぞれ約５０ｃｃ／ｍｉｎの被処理水が排出され、アルカリ性酸化水は、ｐＨが約１０．５であり、過酸化水素濃度は２．５ｐｐｍ、溶存オゾン濃度は１．５ｐｐｍであった。この酸化水を洗浄水と利用した食器洗い機１は、洗剤を用いることなく、食器２に付着した汚れを効果的に除去することができる。
【００３１】
（実施の形態３）
図４は、本発明の実施の形態３における洗濯機の構成図である。洗濯機１６は被処理水である水道水の入口４及び酸化水の出口５を有する酸化水生成装置３を備え、出口５から排出される酸化水は洗濯槽１７へ洗浄水として供給される構成となっている。
【００３２】
本実施の形態では、酸化水生成装置３には実施の形態１と同一の装置を利用し、同一の条件にて装置を作動させ、出口５からは過酸化水素濃度３ｐｐｍ、溶存オゾン濃度２ｐｐｍの酸化水を得ることができ、過酸化水素とオゾンを含有する酸化水を洗浄水として利用する本実施の形態の洗濯機は、洗剤を用いずとも衣類に付着した汚れを酸化分解して、効率良く汚れを除去することができる。
【００３３】
（実施の形態４）
本実施の形態における洗濯機は、実施の形態３での酸化水生成装置３として実施の形態２で述べた酸化水生成装置を使用したこと以外は、実施の形態３と同一構成である。
【００３４】
この場合、酸化水生成装置は実施の形態２と同一条件にて運転し、ｐＨが約１０．５であり、過酸化水素濃度は２．５ｐｐｍ、溶存オゾン濃度は１．５ｐｐｍであるアルカリ性の酸化水を得ることができ、過酸化水素とオゾンを含有するアルカリ性の酸化水を洗浄水として利用する本実施の形態の洗濯機は、洗剤を用いずとも衣類に付着した汚れを酸化分解して、効率良く汚れを除去することができる。
【産業上の利用可能性】
【００３５】
以上のように、本発明にかかる食器洗い機および洗濯機は、水のｐＨを過酸化水素の活性が高まるアルカリ性とし、かつ強い酸化力を有するオゾンも含む酸化水を洗浄水として使用するので、食器または衣類に付着した汚れが酸化分解され、汚れが効率良く除去される。従って本記載の発明の酸化水生成装置は、本発明記載の食器洗い機および洗濯機以外にも、酸化水による洗浄を利用する各種洗浄機械に適用できる。
【図面の簡単な説明】
【００３６】
【図１】本発明の実施の形態１における食器洗い機の構成図
【図２】同食器洗い機が備える酸化水生成装置の構成詳細図
【図３】本発明の実施の形態２における食器洗い機が備える酸化水生成装置の構成詳細図
【図４】本発明の実施の形態３における洗濯機の構成図
【図５】従来の酸化水生成装置である電気分解装置の構成図
【図６】次亜塩素放出材を用いる従来の酸化水生成装置の構成図
【符号の説明】
【００３７】
１  食器洗い機
２  食器
３  酸化水生成装置
４  入口
５  出口
６  ノズル
７  円筒容器
８  圧電素子
９  ハニカム
１０  紫外線ランプ
１１  隔膜
１２  陽極
１３  陰極
１４  捨て水出口
１５  酸化水出口
１６  洗濯機
１７  洗濯槽
【図１】
2005110751.tif 000003
【図２】
2005110751.tif 000004
【図３】
2005110751.tif 000005
【図４】
2005110751.tif 000006
【図５】
2005110751.tif 000007
【図６】
2005110751.tif 000008